(57)【要約】【課題】  変倍比が８倍〜１０倍程度、広角端の半画角が３５°程度以上で、高い性能を持ち、かつ、コンパクト性に優れた高変倍・高性能のズームレンズ。【解決手段】  正の屈折力の第１レンズ群Ｇ１と、負の屈折力の第２レンズ群Ｇ２と、正の屈折力の第３レンズ群Ｇ３と、正の屈折力の第４レンズ群Ｇ４とを有し、変倍時に各群の間隔を変化させるズームレンズにおいて、レンズ全系を広角端から望遠端に変倍させるとき、第１レンズ群Ｇ１が広角端よりも望遠端で物体側に移動し、第１レンズ群の屈折力を適切に規定する条件式と、第２レンズ群の横倍率を規定する条件式を満足する。【選択図】        図１
2006133632.tif 000002
【特許請求の範囲】
【請求項１】
物体側から順に、正の屈折力の第１レンズ群と、負の屈折力の第２レンズ群と、正の屈折力の第３レンズ群と、正の屈折力の第４レンズ群とを有し、変倍時に各群の間隔を変化させるズームレンズにおいて、
レンズ全系を広角端から望遠端に変倍させるとき、第１レンズ群が広角端よりも望遠端で物体側に移動し、
次の条件式を満足することを特徴とするズームレンズ。
５．７＜ｆ1 ／ｆw ＜２０                                      ・・・（１）
４．１＜Ｍ2t／Ｍ2w＜１５                                      ・・・（２）
ただし、ｆ1 ：第１レンズ群の焦点距離、
ｆw ：広角端の全系の焦点距離、
Ｍ2t：第２レンズ群の望遠端の横倍率、
Ｍ2w：第２レンズ群の広角端の横倍率、
である。
【請求項２】
以下の条件式を満足することを特徴とする請求項１記載のズームレンズ。
２．７＜ｆ3 ／ｆw ＜１５                                      ・・・（３）
ただし、ｆ3 ：第３レンズ群の焦点距離、
である。
【請求項３】
物体側から順に、正の屈折力の第１レンズ群と、負の屈折力の第２レンズ群と、正の屈折力の第３レンズ群と、正の屈折力の第４レンズ群とを有し、変倍時に各群の間隔を変化させるズームレンズにおいて、
レンズ全系を広角端から望遠端に変倍させるとき、第１レンズ群が広角端よりも望遠端で物体側に移動し、
次の条件式を満足することを特徴とするズームレンズ。
５．７＜ｆ1 ／ｆw ＜２０                                      ・・・（１）
３．２＜Ｍ2t／Ｍ2w＜１５                                    ・・・（２）’
２．７＜ｆ3 ／ｆw ＜１５                                      ・・・（３）
ただし、ｆ1 ：第１レンズ群の焦点距離、
ｆw ：広角端の全系の焦点距離、
Ｍ2t：第２レンズ群の望遠端の横倍率、
Ｍ2w：第２レンズ群の広角端の横倍率、
ｆ3 ：第３レンズ群の焦点距離、
である。
【請求項４】
開口絞りが第２レンズ群と第３レンズ群の間に配置され、広角端から望遠端への変倍時に固定であることを特徴とする請求項１から３の何れか１項記載のズームレンズ。
【請求項５】
第３レンズ群に少なくとも１枚の非球面レンズを有することを特徴とする請求項１から４の何れか１項記載のズームレンズ。
【発明の詳細な説明】
【技術分野】
【０００１】
本発明は、ズームレンズに関し、特に、広角域を含む高変倍ズームレンズに関するものである。
【背景技術】
【０００２】
デジタルカメラ用の高変倍ズームレンズとしては、物体側より順に、正の屈折力を有する第１レンズ群と、負の屈折力を有する第２レンズ群と、正の屈折力を有する第３レンズ群と、正の屈折力を有する第４レンズ群とからなるズームタイプが主流であり、特にズーム倍率が８倍を超え、撮像素子の小ピッチ化に伴う更なる高性能化のために第１レンズ群を物体側に移動させるタイプとして、特許文献１、特許文献２のものがある。
【０００３】
しかしながら、特許文献１のものは、広角端の半画角が３０°程度と広角化を達成しているとは言えない。また、特許文献２のものは、広角端の半画角が３５°程度と広角化を達成しているが、広角端で充分なバックフォーカスが確保できておらず、フォーカシングするためのスペースが少なく、撮像素子のＣＣＤへの入射角を略平行に保つことが困難なため、更なる高性能化・高変倍化を達成するためには、各レンズ群の屈折力配置を見直す必要がある。
【特許文献１】特開平１１−１０９２４１号公報
【特許文献２】特開２００１−３５００９２号公報
【発明の開示】
【発明が解決しようとする課題】
【０００４】
本発明は従来技術のこのような状況に鑑みてなされたものであって、その目的は、正・負・正・正の４成分構成という少ない群構成の中で、変倍比が８倍〜１０倍程度、かつ、広角端の半画角が３５°程度以上で、最先端の小さな画素ピッチの撮像素子用の光学系としても使用できる高い性能を持ち、かつ、コンパクト性に優れた高変倍・高性能のズームレンズを提供することである。
【課題を解決するための手段】
【０００５】
上記目的を達成する本発明の第１のズームレンズは、物体側から順に、正の屈折力の第１レンズ群と、負の屈折力の第２レンズ群と、正の屈折力の第３レンズ群と、正の屈折力の第４レンズ群とを有し、変倍時に各群の間隔を変化させるズームレンズにおいて、
レンズ全系を広角端から望遠端に変倍させるとき、第１レンズ群が広角端よりも望遠端で物体側に移動し、
次の条件式を満足することを特徴とするものである。
【０００６】
５．７＜ｆ1 ／ｆw ＜２０                                      ・・・（１）
４．１＜Ｍ2t／Ｍ2w＜１５                                      ・・・（２）
ただし、ｆ1 ：第１レンズ群の焦点距離、
ｆw ：広角端の全系の焦点距離、
Ｍ2t：第２レンズ群の望遠端の横倍率、
Ｍ2w：第２レンズ群の広角端の横倍率、
である。
【０００７】
以下に、第１のズームレンズにおいて上記構成をとる理由と作用を説明する。
【０００８】
本発明のズームレンズの構成は、広角端における正の第１レンズ群と負の第２レンズ群を近くに配置し、望遠端への変倍時に第１レンズ群と第２レンズ群の間隔を広げるように移動させることで変倍を行っている。
【０００９】
高変倍化のためには、第１レンズ群と第２レンズ群の間隔を大きくせねばならず、変倍時に第１レンズ群が固定され第２レンズ群のみで変倍する場合、第１レンズ群と開口絞りとのスペースが大きくなり、第１レンズ群のレンズ径が大きくなってしまう。そのため、変倍時に第１レンズ群を物体側に移動させ、望遠端での第１レンズ群と第２レンズ群の間隔を確保するようにすることで、広角端での第１レンズ群の位置をより像側に配置できるため、広角端での第１レンズ群と開口絞りの間隔を小さくし、第１レンズ群の径を小型化にできる。
【００１０】
また、本発明のズームレンズの構成は、望遠端への変倍時に第２レンズ群と第３レンズ群の間隔を小さくするように第３レンズ群を物体側に移動させることで、変倍作用を第３レンズ群にも分担させている。このため、第２レンズ群の変倍のための移動量を小さくすることが可能となる。
【００１１】
このような構成とすることで、各レンズ群の変倍時の移動量を小さくし、ズーム時の収差変動が小さく、ズーム全域で良好な収差性能を確保できる。
【００１２】
そして、条件式（１）、（２）を満足することで、本発明のズームレンズの構成で、高変倍で広角端の画角を３５°程度以上の広角化を達成することができる。
【００１３】
条件式（１）は、第１レンズ群の屈折力を適切に規定するもので、条件式（１）の下限の５．７を越えると、第１レンズ群の屈折力が強くなりすぎて、特に広角端における球面収差を補正することが困難になる。また、条件式（１）の上限の２０を越えると、第１レンズ群の屈折力が弱くなりすぎ、相対的に第２レンズ群の屈折力も弱くなる。この場合、第２レンズ群の移動量が大きくなるので、相対的に広角端での第１レンズ群の位置が物体側に配置され、第１レンズ群の径が大きくなり、コンパクト性を確保することが困難となる。
【００１４】
条件式（２）は、第２レンズ群の横倍率を規定するもので、条件式（２）の下限の４．１を越えると、第２レンズ群の変倍分担が小さくなりすぎるので、相対的に第３レンズ群の変倍分担が大きくなり、第３レンズ群の移動量が大きくなって望遠端でのレンズ全長が大きくなってしまう。また、条件式（２）の上限の１５を越えると、第２レンズ群の変倍分担が大きくなりすぎ、第２レンズ群の変倍時の移動量が大きくなり広角端でのコンパクト性を確保することが困難となる。
【００１５】
また、条件式（１）の下限値を７．０、さらには８．０としてもよい。
【００１６】
また、条件式（１）の上限値を１５．０、さらには１０．０としてもよい。
【００１７】
また、条件式（２）の下限値を４．３、さらには４．５としてもよい。
【００１８】
また、条件式（２）の上限値を１０．０、さらには６．０としてもよい。
【００１９】
本発明の第２のズームレンズは、第１のズームレンズにおいて、以下の条件式を満足することを特徴とするものである。
【００２０】
２．７＜ｆ3 ／ｆw ＜１５                                      ・・・（３）
ただし、ｆ3 ：第３レンズ群の焦点距離、
である。
【００２１】
以下に、第２のズームレンズにおいて上記構成をとる理由と作用を説明する。
【００２２】
条件式（３）は、第３レンズ群の屈折力を適切に規定するもので、条件式（３）の下限の２．７を越えると、第３レンズ群の屈折力が強くなりすぎて、広角端におけるバックフォーカスを確保することが困難となる。また、条件式（３）の上限の１５を越えると、第３レンズ群の屈折力が弱くなりすぎ、第３レンズ群の移動量が大きくなるので、望遠端でのレンズ全長が大きくなってしまう。
【００２３】
また、条件式（３）の下限値を３．０、さらには３．２としてもよい。
【００２４】
また、条件式（３）の上限値を１０．０、さらには５．０としてもよい。
【００２５】
本発明の第３のズームレンズは、物体側から順に、正の屈折力の第１レンズ群と、負の屈折力の第２レンズ群と、正の屈折力の第３レンズ群と、正の屈折力の第４レンズ群とを有し、変倍時に各群の間隔を変化させるズームレンズにおいて、
レンズ全系を広角端から望遠端に変倍させるとき、第１レンズ群が広角端よりも望遠端で物体側に移動し、
次の条件式を満足することを特徴とするものである。
【００２６】
５．７＜ｆ1 ／ｆw ＜２０                                      ・・・（１）
３．２＜Ｍ2t／Ｍ2w＜１５                                    ・・・（２）’
２．７＜ｆ3 ／ｆw ＜１５                                      ・・・（３）
ただし、ｆ1 ：第１レンズ群の焦点距離、
ｆw ：広角端の全系の焦点距離、
Ｍ2t：第２レンズ群の望遠端の横倍率、
Ｍ2w：第２レンズ群の広角端の横倍率、
ｆ3 ：第３レンズ群の焦点距離、
である。
【００２７】
以下に、第３のズームレンズにおいて上記構成をとる理由と作用を説明する。
【００２８】
本発明のズームレンズの構成は、広角端における正の第１レンズ群と負の第２レンズ群を近くに配置し、望遠端への変倍時に第１レンズ群と第２レンズ群の間隔を広げるように移動させることで変倍を行っている。
【００２９】
高変倍化のためには、第１レンズ群と第２レンズ群の間隔を大きくせねばならず、変倍時に第１レンズ群が固定され第２レンズ群のみで変倍する場合、第１レンズ群と開口絞りとのスペースが大きくなり、第１レンズ群のレンズ径が大きくなってしまう。そのため、変倍時に第１レンズ群を物体側に移動させ、望遠端での第１レンズ群と第２レンズ群の間隔を確保するようにすることで、広角端での第１レンズ群の位置をより像側に配置できるため、広角端での第１レンズ群と開口絞りの間隔を小さくし、第１レンズ群の径を小型化にできる。
【００３０】
また、本発明のズームレンズの構成は、望遠端への変倍時に第２レンズ群と第３レンズ群の間隔を小さくするように第３レンズ群を物体側に移動させることで、変倍作用を第３レンズ群にも分担させている。このため、第２レンズ群の変倍のための移動量を小さくすることが可能となる。
【００３１】
このような構成とすることで、各レンズ群の変倍時の移動量を小さくし、ズーム時の収差変動が小さく、ズーム全域で良好な収差性能を確保できる。
【００３２】
そして、条件式（１）、（２）’、（３）を満足することで、本発明のズームレンズの構成で、高変倍で広角端の画角を３５°程度以上の広角化を達成することができる。
【００３３】
条件式（１）は、第１レンズ群の屈折力を適切に規定するもので、条件式（１）の下限の５．７を越えると、第１レンズ群の屈折力が強くなりすぎて、特に広角端における球面収差を補正することが困難になる。また、条件式（１）の上限の２０を越えると、第１レンズ群の屈折力が弱くなりすぎ、相対的に第２レンズ群の屈折力も弱くなる。この場合、第２レンズ群の移動量が大きくなるので、相対的に広角端での第１レンズ群の位置が物体側に配置されるので、第１レンズ群の径が大きくなり、コンパクト性を確保することが困難となる。
【００３４】
条件式（２）’は、第２レンズ群の横倍率を規定するもので、条件式（２）’の下限の３．２を越えると、第２レンズ群の変倍分担が小さくなりすぎるので、相対的に第３レンズ群の変倍分担が大きくなり、第３レンズ群の移動量が大きくなって望遠端でのレンズ全長が大きくなってしまう。また、また、条件式（２）’の上限の１５を越えると、第２レンズ群の変倍分担が大きくなりすぎ、第２レンズ群の変倍時の移動量が大きくなり広角端でのコンパクト性を確保することが困難となる。
【００３５】
条件式（３）は、第３レンズ群の屈折力を適切に規定するもので、条件式（３）の下限の２．７を越えると、第３レンズ群の屈折力が強くなりすぎて、広角端におけるバックフォーカスを確保することが困難となる。また、条件式（３）の上限の１５を越えると、第３レンズ群の屈折力が弱くなりすぎ、第３レンズ群の移動量が大きくなるので、望遠端でのレンズ全長が大きくなってしまう。
【００３６】
また、条件式（１）の下限値を７．０、さらには８．０としてもよい。
【００３７】
また、条件式（１）の上限値を１５．０、さらには１０．０としてもよい。
【００３８】
また、条件式（２）’の下限値を４．１、さらには４．３、さらには４．５としてもよい。
【００３９】
また、条件式（２）’の上限値を１０．０、さらには６．０としてもよい。
【００４０】
また、条件式（３）の下限値を３．０、さらには３．２としてもよい。
【００４１】
また、条件式（３）の上限値を１０．０、さらには５．０としてもよい。
【００４２】
本発明の第４のズームレンズは、第１〜第３のズームレンズにおいて、開口絞りが第２レンズ群と第３レンズ群の間に配置され、広角端から望遠端への変倍時に固定であることを特徴とするものである。
【００４３】
以下に、第４のズームレンズにおいて上記構成をとる理由と作用を説明する。
【００４４】
開口絞りが第３レンズ群の前に固定されて変倍時に同時移動する場合、広角端での第２レンズ群と第３レンズ群の間隔が最大となり、第１レンズ群と絞りの間隔が大きく入射瞳位置を物体側に配置することが困難になるため、第１レンズ群の径を小さくするには限界がある。このため、本発明のズームレンズでは、広角端での開口絞りの位置を第３レンズ群と空気間隔を隔てた第２レンズ群側よりに配置することで、入射瞳位置をより物体側に配置できるため、第１レンズ群の径を小さくすることを可能としている。また、このとき、開口絞り位置が広角端と望遠端とで移動量が小さくなるので、ズーム変倍時に固定とすることが、レンズ枠構造を簡潔化する上で望ましい。
【００４５】
本発明の第５のズームレンズは、第１〜第４のズームレンズにおいて、第３レンズ群に少なくとも１枚の非球面レンズを有することを特徴とするものである。
【００４６】
以下に、第５のズームレンズにおいて上記構成をとる理由と作用を説明する。
【００４７】
本発明のズームレンズの構成で、更なる小型化を達成するには、各レンズ群の屈折力をある程度強めなくてはならない。この場合、開口絞りに近い第３レンズ群で発生する球面収差を補正することが困難となる。そのため、本発明では、第３レンズ群の少なくとも１面に非球面を用いることで、第３レンズ群で発生する球面収差を良好に補正し、ズーム全域で良好な収差性能を確保しながら小型化を達成している。
【００４８】
本発明は、以上の何れかのズームレンズと、その像側に配された電子撮像素子とを備えた撮像装置を含むものである。本発明のズームレンズは、電子撮像装置に用いると、コンパクトで高性能、高変倍が確保でき、好ましい。なお、撮像装置としては、デジタルカメラ以外に、ビデオカメラ、デジタルビデオユニット等がある。
【００４９】
なお、以上の各発明のズームレンズは、任意に組み合わせるとより効果を得ることができる。また、以上の各条件式に共通して、各条件式範囲をより限定した下位の条件式の上限値のみ、又は、下限値のみをその上位の条件式の上限値あるいは下限値として限定するようにしてもよい。
【００５０】
また、以上の条件式は、任意に複数を組み合わせることで、より本発明の効果を高めることができる。
【発明の効果】
【００５１】
本発明により、少ない群構成で変倍比が８倍〜１０倍程度、広角端の半画角が３５°程度以上で、最先端の小さな画素ピッチの撮像素子用の光学系としても使用できる高い性能を持ち、かつ、コンパクト性に優れた高変倍・高性能のズームレンズを得ることができる。
【発明を実施するための最良の形態】
【００５２】
以下、本発明のズームレンズの実施例１〜２について説明する。実施例１〜２の無限遠物点合焦時の広角端（ａ）、中間状態（ｂ）、望遠端（ｃ）のレンズ断面図をそれぞれ図１〜図２に示す。図中、第１レンズ群はＧ１、第２レンズ群はＧ２、開口絞りはＳ、第３レンズ群はＧ３、第４レンズ群はＧ４、ＩＲカットコートを施したローパスフィルター等を構成する平行平板はＦ、電子撮像素子のカバーガラスの平行平板はＣ、像面はＩで示してある。なお、カバーガラスＣの表面に波長域制限用の多層膜を施してもよい。また、そのカバーガラスＣにローパスフィルター作用を持たせるようにしてもよい。
【００５３】
実施例１のズームレンズは、図１に示すように、物体側から順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４とから構成されており、広角端から望遠端への変倍をする際に、第１レンズ群Ｇ１は広角端から中間状態までほとんど移動せず、中間状態から望遠端にかけて物体側へ移動し、第２レンズ群Ｇ２は広角端から中間状態にかけて像側に移動し、中間状態から望遠端まで移動せず、開口絞りＳは固定で、第３レンズ群Ｇ３は物体側へ移動し、第４レンズ群Ｇ４は物体側に凸の軌跡を描いて移動し、望遠端では広角端の位置より像側に位置する。
【００５４】
物体側から順に、第１レンズ群Ｇ１は、物体側に凸面を向けた負メニスカスレンズと物体側に凸面を向けた正メニスカスレンズの接合レンズと、体側に凸面を向けた正メニスカスレンズとからなり、第２レンズ群Ｇ２は、物体側に凸面を向けた負メニスカスレンズと、両凹負レンズと、両凸正レンズとからなり、第３レンズ群Ｇ３は、物体側に凸面を向けた正メニスカスレンズと、物体側に凸面を向けた負メニスカスレンズと両凸正レンズの接合レンズと、像側に凸面を向けた負メニスカスレンズとからなり、第４レンズ群Ｇ４は、両凸正レンズ１枚からなる。
【００５５】
非球面は、第２レンズ群Ｇ２の両凸正レンズの物体側の面、第３レンズ群Ｇ３の正メニスカスレンズの両面、第４レンズ群Ｇ４の両凸正レンズの両面の５面に用いている。
【００５６】
実施例２のズームレンズは、図２に示すように、物体側から順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４とから構成されており、広角端から望遠端への変倍をする際に、第１レンズ群Ｇ１は広角端から中間状態までほとんど移動せず、中間状態から望遠端にかけて物体側へ移動し、第２レンズ群Ｇ２は像側に移動し、開口絞りＳは固定で、第３レンズ群Ｇ３は物体側へ移動し、第４レンズ群Ｇ４は物体側に凸の軌跡を描いて移動し、望遠端では広角端の位置より像側に位置する。
【００５７】
物体側から順に、第１レンズ群Ｇ１は、物体側に凸面を向けた負メニスカスレンズと物体側に凸面を向けた正メニスカスレンズの接合レンズと、体側に凸面を向けた正メニスカスレンズとからなり、第２レンズ群Ｇ２は、物体側に凸面を向けた負メニスカスレンズと、両凹負レンズと、両凸正レンズとからなり、第３レンズ群Ｇ３は、物体側に凸面を向けた正メニスカスレンズと、物体側に凸面を向けた負メニスカスレンズと両凸正レンズの接合レンズと、像側に凸面を向けた負メニスカスレンズとからなり、第４レンズ群Ｇ４は、両凸正レンズ１枚からなる。
【００５８】
非球面は、第２レンズ群Ｇ２の両凸正レンズの物体側の面、第３レンズ群Ｇ３の正メニスカスレンズの両面の３面に用いている。
【００５９】
以下に、上記各実施例の数値データを示すが、記号は上記の外、ｆは全系焦点距離、ωは半画角、ＦNOはＦナンバー、ＷＥは広角端、ＳＴは中間状態、ＴＥは望遠端、ｒ1 、ｒ2 …は各レンズ面の曲率半径、ｄ1 、ｄ2 …は各レンズ面間の間隔、ｎd1、ｎd2…は各レンズのｄ線の屈折率、νd1、νd2…は各レンズのアッベ数である。なお、非球面形状は、ｘを光の進行方向を正とした光軸とし、ｙを光軸と直交する方向にとると、下記の式にて表される。
【００６０】
ｘ＝（ｙ2 ／ｒ）／［１＋｛１−（Ｋ＋１）（ｙ／ｒ）2 ｝1/2 ］
＋Ａ4 ｙ4 ＋Ａ6 ｙ6 ＋Ａ8 ｙ8 ＋Ａ10ｙ10
ただし、ｒは近軸曲率半径、Ｋは円錐係数、Ａ4 、Ａ6 、Ａ8 、Ａ10はそれぞれ４次、６次、８次、１０次の非球面係数である。
【００６１】
実施例１
ｒ1 =    38.642             ｄ1 =  1.20     ｎd1 =1.84666 νd1 =23.78 
ｒ2 =    22.802             ｄ2 =  5.27     ｎd2 =1.48749 νd2 =70.23 
ｒ3 =   149.923             ｄ3 =  0.50     
ｒ4 =    24.507             ｄ4 =  3.75     ｎd3 =1.81600 νd3 =46.62 
ｒ5 =    77.798             ｄ5 = （可変）  
ｒ6 =    59.073             ｄ6 =  1.00     ｎd4 =1.88300 νd4 =40.76 
ｒ7 =     6.314             ｄ7 =  3.63     
ｒ8 =   -22.442             ｄ8 =  0.90     ｎd5 =1.58913 νd5 =61.14 
ｒ9 =    10.500             ｄ9 =  1.35     
ｒ10=    24.010 （非球面）  ｄ10=  2.27     ｎd6 =1.84666 νd6 =23.78 
ｒ11=   -34.261             ｄ11= （可変）  
ｒ12=     ∞（絞り）        ｄ12= （可変）  
ｒ13=     7.040 （非球面）  ｄ13=  2.35     ｎd7 =1.58913 νd7 =61.14 
ｒ14=    16.335 （非球面）  ｄ14=  0.57     
ｒ15=    13.980             ｄ15=  3.17     ｎd8 =1.84666 νd8 =23.78 
ｒ16=     6.427             ｄ16=  5.30     ｎd9 =1.49700 νd9 =81.54 
ｒ17=    -9.694             ｄ17=  1.47     
ｒ18=    -5.411             ｄ18=  0.90     ｎd10=1.80100 νd10=34.97 
ｒ19=    -8.902             ｄ19= （可変）  
ｒ20=    14.750 （非球面）  ｄ20=  2.51     ｎd11=1.49700 νd11=81.54 
ｒ21=   -32.761 （非球面）  ｄ21= （可変）  
ｒ22=     ∞                ｄ22=  0.85     ｎd12=1.54771 νd12=62.84 
ｒ23=     ∞                ｄ23=  0.50     
ｒ24=     ∞                ｄ24=  0.50     ｎd13=1.51633 νd13=64.14 
ｒ25=     ∞                ｄ25=  0.59     
ｒ26=     ∞（像面）        
非球面係数
第１０面
Ｋ  =  0
Ａ4 =  2.37690×10-4
Ａ6 = -1.88394×10-6
Ａ8 =  6.44842×10-8
Ａ10=  3.84823×10-11 
第１３面
Ｋ  =  0
Ａ4 = -1.03572×10-4
Ａ6 =  4.50736×10-6
Ａ8 = -6.15535×10-8
Ａ10=  1.98305×10-9
第１４面
Ｋ  =  0
Ａ4 =  2.12683×10-4
Ａ6 =  6.83635×10-6
Ａ8 =  9.92510×10-8
Ａ10=  9.64797×10-10 
第２０面
Ｋ  =  0
Ａ4 =  2.94270×10-4
Ａ6 = -2.25339×10-5
Ａ8 =  2.47146×10-6
Ａ10= -6.19183×10-8
第２１面
Ｋ  =  0
Ａ4 =  3.78458×10-4
Ａ6 = -3.37157×10-5
Ａ8 =  3.42643×10-6
Ａ10= -8.55046×10-8
ズームデータ（∞）
ＷＥ            ＳＴ            ＴＥ
ｆ (mm)             4.3            14.1            46.1   
ω (°)            38.746          13.309           4.137 
ＦNO                2.80            3.22            3.70  
ｄ5                 0.52           11.30           20.87  
ｄ11               12.68            1.50            1.50  
ｄ12               11.03            5.21            0.80  
ｄ19                1.28            3.77           13.25  
ｄ21                3.74            7.06            2.00                    。
【００６２】
実施例２
ｒ1 =    48.310             ｄ1 =  1.20     ｎd1 =1.84666 νd1 =23.78 
ｒ2 =    25.445             ｄ2 =  5.44     ｎd2 =1.48749 νd2 =70.23 
ｒ3 =  1354.174             ｄ3 =  0.50     
ｒ4 =    25.997             ｄ4 =  3.83     ｎd3 =1.81600 νd3 =46.62 
ｒ5 =    96.489             ｄ5 = （可変）  
ｒ6 =    69.782             ｄ6 =  1.00     ｎd4 =1.88300 νd4 =40.76 
ｒ7 =     6.250             ｄ7 =  3.62     
ｒ8 =   -18.401             ｄ8 =  0.90     ｎd5 =1.58313 νd5 =59.46 
ｒ9 =    11.928             ｄ9 =  1.26     
ｒ10=    26.362 （非球面）  ｄ10=  2.42     ｎd6 =1.84666 νd6 =23.78 
ｒ11=   -29.463             ｄ11= （可変）  
ｒ12=     ∞（絞り）        ｄ12= （可変）  
ｒ13=     7.321 （非球面）  ｄ13=  2.44     ｎd7 =1.58913 νd7 =61.14 
ｒ14=    17.328 （非球面）  ｄ14=  0.71     
ｒ15=    13.553             ｄ15=  3.42     ｎd8 =1.84666 νd8 =23.78 
ｒ16=     6.447             ｄ16=  5.48     ｎd9 =1.49700 νd9 =81.54 
ｒ17=    -7.601             ｄ17=  1.64     
ｒ18=    -5.450             ｄ18=  0.90     ｎd10=1.80100 νd10=34.97 
ｒ19=   -12.512             ｄ19= （可変）  
ｒ20=    13.371             ｄ20=  2.80     ｎd11=1.48749 νd11=70.23 
ｒ21=   -27.604             ｄ21= （可変）  
ｒ22=     ∞                ｄ22=  0.85     ｎd12=1.54771 νd12=62.84 
ｒ23=     ∞                ｄ23=  0.50     
ｒ24=     ∞                ｄ24=  0.50     ｎd13=1.51633 νd13=64.14 
ｒ25=     ∞                ｄ25=  0.59     
ｒ26=     ∞（像面）        
非球面係数
第１０面
Ｋ  =  0
Ａ4 =  1.90530×10-4
Ａ6 =  1.10300×10-7
Ａ8 =  3.29181×10-8
Ａ10= -5.20800×10-10 
第１３面
Ｋ  =  0
Ａ4 =  8.63126×10-6
Ａ6 = -1.75048×10-6
Ａ8 =  2.90637×10-7
Ａ10= -4.89875×10-9
第１４面
Ｋ  =  0
Ａ4 =  3.71933×10-4
Ａ6 =  3.17630×10-6
Ａ8 =  4.16894×10-7
Ａ10= -4.32092×10-9
ズームデータ（∞）
ＷＥ            ＳＴ            ＴＥ
ｆ (mm)             4.3            14.1            46.1   
ω (°)            38.384          13.235           4.087 
ＦNO                2.80            3.22            3.70  
ｄ5                 0.50           10.72           21.38  
ｄ11               13.86            3.72            1.50  
ｄ12               10.06            3.17            0.80  
ｄ19                1.24            4.81           11.33  
ｄ21                2.83            6.15            2.00                    。
【００６３】
以上の実施例１〜２の無限遠物点合焦時の収差図をそれぞれ図３〜図４に示す。これらの収差図において、（ａ）は広角端、（ｂ）は中間状態、（ｃ）は望遠端における球面収差（ＳＡ）、非点収差（ＡＳ）、歪曲収差（ＤＴ）、倍率色収差（ＣＣ）を示す。
【００６４】
次に、上記各実施例における条件式（１）〜（３）に関するパラメータ値を示す。
【００６５】
パラメータ      実施例１    実施例２
ｆw           4.3         4.3 
ｆt          46.10001    46.10001 
ｆ1          38.54366    38.23155 
ｆ2          -7.68901    -7.75488 
ｆ3          14.36534    13.91904 
ｆ4          20.82884    18.90071 
Ｍ2w         -0.29641    -0.29497 
Ｍ2t         -1.37472    -1.43389 
Ｍ3w         -0.56207    -0.56284 
Ｍ3t         -1.15534    -1.16562 
Ｍ4w          0.66963     0.67746 
Ｍ4t          0.75305     0.72145 
ｆt ／ｆw      10.72       10.72
ｆ1 ／ｆw       8.96        8.89
ｆ2 ／ｆw      -1.79       -1.80
ｆ3 ／ｆw       3.34        3.24
ｆ4 ／ｆw       4.84        4.40
Ｍ2t／Ｍ2w      4.64        4.86
Ｍ3t／Ｍ3w      2.06        2.07
Ｍ4t／Ｍ4w      1.12        1.06
ただし、ｆn ：第ｎレンズ群の焦点距離、
ｆw ：広角端の全系の焦点距離、
ｆt ：望遠端の全系の焦点距離、
Ｍnt：第ｎレンズ群の望遠端の横倍率、
Ｍnw：第２レンズ群の広角端の横倍率、
である。
【００６６】
図５〜図７は、以上のようなズームレンズを撮影光学系４１に組み込んだ本発明によるデジタルカメラの構成の概念図を示す。図５はデジタルカメラ４０の外観を示す前方斜視図、図６は同後方正面図、図７はデジタルカメラ４０の構成を示す模式的な透視平面図である。ただし、図５と図７においては、撮影光学系４１の非沈胴時を示している。デジタルカメラ４０は、この例の場合、撮影用光路４２を有する撮影光学系４１、ファインダー用光路４４を有するファインダー光学系４３、シャッターボタン４５、フラッシュ４６、液晶表示モニター４７、焦点距離変更ボタン６１、設定変更スイッチ６２等を含み、撮影光学系４１の沈胴時には、カバー６０をスライドすることにより、撮影光学系４１とファインダー光学系４３とフラッシュ４６はそのカバー６０で覆われる。そして、カバー６０を開いてカメラ４０を撮影状態に設定すると、撮影光学系４１は図７の非沈胴状態になり、カメラ４０の上部に配置されたシャッターボタン４５を押圧すると、それに連動して撮影光学系４１、例えば実施例１のズームレンズを通して撮影が行われる。撮影光学系４１によって形成された物体像が、ＩＲカットコートを施したローパスフィルターＦとカバーガラスＣを介してＣＣＤ４９の撮像面上に形成される。このＣＣＤ４９で受光された物体像は、処理手段５１を介し、電子画像としてカメラ背面に設けられた液晶表示モニター４７に表示される。また、この処理手段５１には記録手段５２が接続され、撮影された電子画像を記録することもできる。なお、この記録手段５２は処理手段５１と別体に設けてもよいし、フロッピーディスクやメモリーカード、ＭＯ等により電子的に記録書込を行うように構成してもよい。また、ＣＣＤ４９に代わって銀塩フィルムを配置した銀塩カメラとして構成してもよい。
【００６７】
さらに、ファインダー用光路４４上にはファインダー用対物光学系５３が配置してある。ファインダー用対物光学系５３は、複数のレンズ群（図の場合は３群）と２つのプリズムからなり、撮影光学系４１のズームレンズに連動して焦点距離が変化するズーム光学系からなり、このファインダー用対物光学系５３によって形成された物体像は、像正立部材である正立プリズム５５の視野枠５７上に形成される。この正立プリズム５５の後方には、正立正像にされた像を観察者眼球Ｅに導く接眼光学系５９が配置されている。なお、接眼光学系５９の射出側にカバー部材５０が配置されている。
【００６８】
このように構成されたデジタルカメラ４０は、撮影光学系４１が  本発明により、沈胴時に厚みを極めて薄く、高変倍な全変倍域で結像性能を極めて安定的であるあるので、高性能・小型化が実現できる。
【図面の簡単な説明】
【００６９】
【図１】本発明のズームレンズの実施例１の無限遠物点合焦時の広角端（ａ）、中間状態（ｂ）、望遠端（ｃ）でのレンズ断面図である。
【図２】本発明のズームレンズの実施例２の図１と同様の図である。
【図３】実施例１の無限遠物点合焦時の収差図である。
【図４】実施例２の無限遠物点合焦時の収差図である。
【図５】本発明によるデジタルカメラの外観を示す前方斜視図である。
【図６】図５のデジタルカメラの後方斜視図である。
【図７】図５のデジタルカメラの断面図である。
【符号の説明】
【００７０】
Ｇ１…第１レンズ群
Ｇ２…第２レンズ群
Ｇ３…第３レンズ群
Ｇ４…第４レンズ群
Ｓ…開口絞り
Ｆ…ローパスフィルター
Ｃ…カバーガラス
Ｉ…像面
Ｅ…観察者眼球
４０…デジタルカメラ
４１…撮影光学系
４２…撮影用光路
４３…ファインダー光学系
４４…ファインダー用光路
４５…シャッターボタン
４６…フラッシュ
４７…液晶表示モニター
４９…ＣＣＤ
５０…カバー部材
５１…処理手段
５２…記録手段
５３…ファインダー用対物光学系
５５…正立プリズム
５７…視野枠
５９…接眼光学系
６０…カバー
６１…焦点距離変更ボタン
６２…設定変更スイッチ
【図１】
2006133632.tif 000003
【図２】
2006133632.tif 000004
【図３】
2006133632.tif 000005
【図４】
2006133632.tif 000006
【図５】
2006133632.tif 000007
【図６】
2006133632.tif 000008
【図７】
2006133632.tif 000009